(57)【要約】【課題】コンタクトの配列ピッチが狭い防水コネクタに対して、係止頭部の向きを気にすることなく所定の位置まで挿入できるダミー栓を提供する。【解決手段】防水コネクタにおいてコンタクトが挿入されずに空き部屋となるキャビティに対応するワイヤシールのシール孔に挿入される栓本体７１と、栓本体７１に連なり、ダミー栓７０の挿入方向の後端に形成される係止頭部７５と、を備える。ダミー栓７０には、すり割７７が形成されている。すり割７７は、係止頭部７５の頂部から大径部７３の所定位置にかけて、ダミー栓７０の軸方向に沿って形成されている。すり割７７を設けることにより、すり割７７を挟む大径部７３及び係止頭部７５の径方向の左右の部分（第１梁部Ｌ１、第２梁部Ｌ２とする）を、片持ち梁として機能させることができる。【選択図】図２
2012190632.tif 000002
【特許請求の範囲】
【請求項１】
コンタクトが挿入されずに空き部屋となるキャビティに対応するワイヤシールのシール孔に挿入される栓本体と、
前記栓本体に連なり、前記ダミー栓の挿入方向の後端に形成される係止頭部と、を備え、
前記係止頭部から前記栓本体の前記挿入方向の所定の位置にかけて切り込みを形成することで、前記係止頭部及び前記栓本体が、前記係止頭部から前記所定の位置にかけて径方向に弾性変位可能に構成される、
ことを特徴とするダミー栓。
【請求項２】
コンタクトが挿入されずに空き部屋となるキャビティに対応するワイヤシールのシール孔に挿入される栓本体と、
前記栓本体に連なり、前記ダミー栓の挿入方向の後端に形成される係止頭部と、を備え、
前記係止頭部から前記栓本体の前記挿入方向の所定の位置にかけて軸方向に沿うすり割を形成することで、前記係止頭部及び前記栓本体が、前記係止頭部から前記所定の位置にかけて径方向に弾性変位可能に構成される、
ことを特徴とするダミー栓。
【請求項３】
コンタクトが挿入されずに空き部屋となるキャビティに対応するワイヤシールのシール孔に挿入される栓本体と、
前記栓本体に連なり、前記ダミー栓の挿入方向の後端に形成される係止頭部と、を備え、
前記係止頭部から前記栓本体の前記挿入方向の所定の位置にかけて軸方向に沿うすり割を交差させて形成することで、前記係止頭部及び前記栓本体が、前記係止頭部から前記所定の位置にかけて径方向に弾性変位可能に構成される、
ことを特徴とするダミー栓。
【請求項４】
複数のコンタクト挿入孔を有するコネクタハウジングと、
前記コネクタハウジングに収容され、前記コンタクト挿入孔に対応する位置に形成される複数のシール孔を有するワイヤシールと、
前記コンタクトが挿入されずに空き部屋となる前記コンタクト挿入孔に対応する前記シール孔に挿入されるダミー栓と、を備え、
前記ダミー栓は、
請求項１ないし請求項３のいずれか一項に記載のダミー栓である、
ことを特徴とする防水コネクタ。
【発明の詳細な説明】
【技術分野】
【０００１】
本発明は、防水コネクタに装着されるダミー栓及びこのダミー栓を用いた防水コネクタに関する。
【背景技術】
【０００２】
外部から水分の侵入を阻止するために、コネクタハウジング内にワイヤシール、あるいは一括ゴム栓と称される部材を設けている防水コネクタが知られている。防水コネクタに用いられるワイヤシールは、コネクタのハウジングにおける複数のキャビティの夫々に対応する位置にコンタクト挿入孔を備えており、コンタクトがこのコンタクト挿入孔を通ってキャビティに挿入されると、コンタクト挿入孔の内周縁にコンタクトに接続される電線が密着することで防水性が確保される。ところが、防水コネクタが接続される回路基板には複数の仕様が存在する。コネクタに形成されるキャビティは、回路基板の仕様の中でコンタクトが最も多く必要な場合に対応してその数が決定される。そのために、接続される回路基板によっては、キャビティの全てにコンタクトが挿入されるとは限らない。この場合には、防水性を確保するために、コンタクトが挿入されないキャビティである空き部屋に対応するコンタクト挿入孔は、ダミー栓あるいは防水栓と呼ばれる栓を挿入して閉塞される。
【０００３】
コネクタは、接続される回路の高密度化に対応して隣接するコンタクト及び電線同士のピッチが狭くなってきている。従って、コンタクト間隔（ハウジングのキャビティの間隔）を狭くするのに応じてワイヤシールにおけるコンタクト挿入孔の間隔も狭くする必要がある。
ここで、ダミー栓はワイヤシールのコンタクト挿入孔へ挿入される円柱部分よりも径の大きな係止頭部を備えている。ダミー栓はその係止頭部が防水コネクタのハウジングに係止されることで、挿入方向の位置決めがなされるとともに、ハウジングとの間の防水性が確保される。ところが、コンタクト挿入孔の間隔が狭くなると、図６に示すように、隣接するダミー栓１００の係止頭部１０１同士が干渉してしまい、一方のダミー栓１００を挿入方向の所定位置まで挿入できない事態が生じる。干渉を避ける程度まで係止頭部１０１の径を小さくすると、係止頭部１０１の機能が果たされずに、ダミー栓がハウジングのキャビティの奥まで入り込んでしまうおそれがある。
【０００４】
この問題点に対して特許文献１は一つの解決策を提案している。
特許文献１は、図７に示すように、係止頭部２０１をダミー栓２００の全周囲に設けるのではなく、円周の一部分に設けることを提案している。そうすることで、隣接するダミー栓の係止頭部２０１の向きを傾けることにより互いに干渉することを避けることができるので、全周に設けられる場合よりもダミー栓２００の配列ピッチを狭くすることができる。
【先行技術文献】
【特許文献】
【０００５】
【特許文献１】特開２００１−３５７９２７公報
【発明の概要】
【発明が解決しようとする課題】
【０００６】
ところが特許文献１の提案は、干渉を避けるために係止頭部２０１の向きを傾ける必要がある。係止頭部の向きを調整しながら微小なダミー栓をハウジングのキャビティに挿入するのは、作業効率を低下させる。ダミー栓を挿入する数が多い場合には、防水コネクタの生産性の低下は著しいものとなる。
本発明は、このような課題に基づいてなされたもので、コンタクトの配列ピッチが狭い防水コネクタに対して、係止頭部の向きを気にすることなく所定の位置まで挿入できるダミー栓を提供することを目的とする。
また、本発明は、そのようなダミー栓を備える防水コネクタを提供することを目的とする。
【課題を解決するための手段】
【０００７】
本発明によるダミー栓は、コンタクトが挿入されずに空き部屋となるキャビティに対応するワイヤシールのシール孔に挿入される栓本体と、栓本体に連なり、ダミー栓の挿入方向の後端に形成される係止頭部と、を備える。
そして、本発明によるダミー栓は、係止頭部から栓本体の挿入方向の所定の位置にかけて切り込みを形成することで、係止頭部及び栓本体が、係止頭部から所定の位置にかけて径方向に弾性変位可能に構成されている。
本発明のダミー栓によると、コンタクトの配列ピッチが狭いために、隣接するダミー栓の係止頭部同士が一時的に干渉しても、ダミー栓を干渉に逆らってさらに押し込むと、係止頭部同士が径方向に互いに押し合って径方向の内側又は中心に向けて弾性変位することで、係止頭部が縮径することで干渉を回避できる。この際、係止頭部の向きに係らず弾性変位は生ずるので、ダミー栓を挿入する際に係止頭部の向きを気にする必要がない。
【０００８】
本発明のダミー栓において、切り込みは種々の形態で実現可能であるが、ダミー栓の製作容易性の観点からも、軸方向に沿うすり割とすることが好ましい。このすり割は、係止頭部から栓本体の挿入方向の所定の位置にかけて形成される。そうすることで、係止頭部及び栓本体が、係止頭部から所定の位置にかけて径方向に弾性変位可能とされる。
【０００９】
すり割を切り込みとして形成する場合、２つのすり割を交差させて形成することもできる。２つのすり割を交差させる形態によると、弾性変位される周方向の範囲を狭くできる。このことは、弾性変位されない係止頭部の領域が周方向に多く残ることを意味するものであり、係止頭部の係止という本来の機能をより安定して得られる。
【００１０】
本発明は以上のダミー栓のいずれかを備えた防水コネクタを提供する。この防水コネクタは、複数のコンタクト挿入孔を有するコネクタハウジングと、コネクタハウジングに収容され、コンタクト挿入孔に対応する位置に形成される複数のシール孔を有するワイヤシールと、コンタクトが挿入されずに空き部屋となるコンタクト挿入孔に対応するシール孔に挿入されるダミー栓と、を備える。このダミー栓として、以上説明したダミー栓のいずれかが用いられる。
【発明の効果】
【００１１】
本発明によれば、コンタクトの配列ピッチが狭い防水コネクタに対して、係止頭部の向きを気にすることなく所定の位置まで挿入できるダミー栓が提供される。
【図面の簡単な説明】
【００１２】
【図１】本実施の形態における防水コネクタの斜視図であり、（ａ）は隣接するダミー栓が干渉している状態を示し、（ｂ）は一方のダミー栓を押し込むことにより干渉が解消された状態を示している。
【図２】本実施の形態におけるダミー栓を示し、（ａ）はマイナス型のすり割が形成されている例を、（ｂ）はプラス型のすり割が形成されている例を示している。
【図３】（ａ）は図１（ａ）の幅方向（図１のｘ方向）の断面図を示し、（ｂ）は（ａ）の３ｂ部の拡大図である。
【図４】（ａ）は図１（ａ）の厚さ方向（図１のｙ方向）の断面図を示し、（ｂ）は（ａ）の４ｂ部の拡大図である。
【図５】（ａ）は図１（ｂ）の幅方向（図１のｘ方向）の断面図を示し、（ｂ）は（ａ）の５ｂ部の拡大図である。
【図６】従来の防水コネクタを示す図であり、（ａ）は斜視図、（ｂ）は部分断面図である。
【図７】特許文献１に開示されるダミー栓（防水栓）を示す斜視図である。
【発明を実施するための形態】
【００１３】
以下、図１〜図５を参照しながら本発明を実施の形態に基づいて説明する。
本実施の形態における防水コネクタ１は、インナーハウジング１０と、カバー２０と、リテーナ３０と、シール部材４０と、アウターハウジング５０と、ワイヤシール６０とを備えている。また、防水コネクタ１は、空き部屋に対応するワイヤシール６０のシール孔６１に挿入されるダミー栓７０を備えている。
【００１４】
＜インナーハウジング１０＞
インナーハウジング１０は、幅方向（図１のｘ方向）、上下方向（図１のｙ方向）及び前後方向（図１のｚ方向）に延びる略直方体形状に形成されている（図３〜図５参照）。
インナーハウジング１０には、図示しない電力用コンタクトまたは信号用コンタクト（以下、両者を総称して「コンタクト」という）を収容するための、複数のコンタクト収容キャビティ１１が設けられている。各コンタクト収容キャビティ１１には、コンタクトが図３（ａ）における矢印Ａで示す向きに挿入される。
前後方向に貫通する各コンタクト収容キャビティ１１には、コンタクトを一次的に係止するためのハウジングランス１６（図４（ａ））が設けられている。
インナーハウジング１０には、周囲壁１２が設けられており、この周囲壁１２の内部がワイヤシール６０を収容するシール収容凹部（１３）を構成する。周囲壁１２は、アウターハウジング５０と対向するインナーハウジング１０の前端周縁に前方に向けて延びる。
また、インナーハウジング１０には、リテーナ３０が装着されるリテーナ収容凹部１５が設けられている。リテーナ収容凹部１５は、シール収容凹部１３よりも後方に設けられる。
なお、防水コネクタ１において、コンタクトが挿入される側を前とする。
【００１５】
＜シール部材４０＞
絶縁性のゴムを射出成形することによって構成されるシール部材４０は、図３〜図５に示すように、リング状に形成されてインナーハウジング１０の外側に密着するように配置される。このシール部材４０は、相手側コネクタ（図示略）の一部がインナーハウジング１０とアウターハウジング５０の間に形成される受容溝１７に挿入され防水コネクタ１と嵌合したときに、相手側コネクタの相手側ハウジング（図示略）とインナーハウジング１０との間をシールし、嵌合部からインナーハウジング１０の内部に水が浸入するのを阻止するものである。
【００１６】
＜カバー２０＞
絶縁性の樹脂を射出成形することによって構成されるカバー２０は、インナーハウジング１０の背面側に装着されるよう構成されている。カバー２０は、幅方向に延びてインナーハウジング１０の背面を覆うとともに、相手側コンタクトが挿入される複数の相手側コンタクト挿入孔２１が前後方向に貫通して形成されている。
【００１７】
＜リテーナ３０＞
絶縁性の樹脂を射出成形することによって構成されるリテーナ３０は、インナーハウジング１０に形成されたリテーナ収容凹部１５内に装着されるよう構成され、幅方向に延びる略板状に形成されている。リテーナ３０は、インナーハウジング１０に設けられたコンタクト収容キャビティ１１に対応するように形成された複数のコンタクト挿通孔３１を有している。そして、リテーナ３０は、コンタクトがコンタクト挿通孔３１を貫通してコンタクト収容キャビティ１１内に挿入可能となる仮係止位置でインナーハウジング１０に仮保持され、更に押し込まれる本係止位置においてインナーハウジング１０に固定される。リテーナ３０が本係止位置でインナーハウジング１０に固定されると、コンタクトがリテーナ３０により二次的に係止される。
【００１８】
＜アウターハウジング５０（コネクタハウジング）＞
アウターハウジング５０は、ワイヤシール６０を収容するシール収容凹部１３を覆うように装着されてワイヤシール６０の抜け止めを行う。つまり、ワイヤシール６０はアウターハウジング５０に収容される。
アウターハウジング５０には、コンタクト収容キャビティ１１に対応する位置に複数のコンタクト挿入孔５１が設けられている。コンタクト挿入孔５１は前後方向に貫通しており、コンタクトに接続される電線（図示省略）はコンタクト挿入孔５１を通って後方に導出される。
なお、アウターハウジング５０におけるコンタクトが挿入される側の面を、コンタクト挿入面という。図１に示すように、コンタクト挿入面の所定の位置には数字等の識別記号が付与されている。識別記号によって、作業者は、各コンタクト挿入孔５１を容易に識別することができる。特に限られることはないが、少極数のコネクタやスペースがないときなどは、数字等の識別記号を入れなくてもよい。
【００１９】
＜ワイヤシール６０＞
ワイヤシール６０は、一括型の防水部材であり、略板状のワイヤシール６０はインナーハウジング１０のシール収容凹部１３内に収容される。ワイヤシール６０は、通常、エラストマ（Elastic Polymer）を射出成形することにより作製されるが、防水機能を発揮できる材料であれば制限はない。
ワイヤシール６０の外周形状、寸法は、周囲壁１２の内周面と密着するように作製される。図３〜図５に示すように、ワイヤシール６０の外周面には、インナーハウジング１０の周囲壁１２の内周面との密着性を向上するための複数の突条６２が設けられている。
なお、突条６２の存在を明らかにするために、突条６２をインナーハウジング１０と干渉させて記載している。
【００２０】
ワイヤシール６０には、コンタクト収容キャビティ１１に対応する位置に複数のシール孔６１が形成されている。シール孔６１は前後方向に貫通しており、コンタクト収容キャビティ１１に収容されたコンタクトに接続される電線は、シール孔６１を通って後方に導出される。
図３〜図５に示すように、各シール孔６１の内周には複数の突条６３が設けられ、これら突条６３が電線の外周面に密着することで、各シール孔６１を介した水分の流通を阻止する。電力用コンタクトに接続される電線の直径は、信号用コンタクトに接続される電線の直径よりも太く、その直径は約１．０ｍｍ程度である。これに対して信号用コンタクトに接続される電線の直径は、約０．５ｍｍ程度である。電線の直径とは、被覆の外径を意味する。シール孔６１の開口径、突条６３の突出量は、これら電線の直径を考慮して適宜定められる。ただし、この電線の径はあくまで一例である。
【００２１】
以上のように構成された防水コネクタ１において、コンタクト収容キャビティ１１のうちコンタクトが収容されないキャビティ（空き部屋）を残す場合がある。この空き部屋に対応するワイヤシール６０のシール孔６１に、前述したように、ダミー栓７０を漏れなく挿入することで防水コネクタ１の機能を保持する。本実施の形態は、このダミー栓７０に特徴を有している。
【００２２】
ダミー栓７０は、図２（ａ）に示すように、円柱状の栓本体７１と、栓本体７１の後端に設けられる係止頭部７５と、を備えている。ダミー栓７０は、ワイヤシール６０と同様の素材を射出成形することにより製造される。
栓本体７１は、先端から所定位置まで占める小径部７２と、小径部７２に連なり後端の係止頭部までを占める大径部７３と、からなる。ダミー栓７０は、防水コネクタ１の所定の位置に装着された状態で、小径部７２がワイヤシール６０のシール孔６１からインナーハウジング１０のコンタクト収容キャビティ１１にかけて配置され、大径部７３はアウターハウジング５０のコンタクト挿入孔５１内に配置される。小径部７２は、シール孔６１内に挿入された状態で、シール孔６１に突出する複数の突条６３が密着して防水機能を発揮できるように、その径が設定される。また、大径部７３は、コンタクト挿入孔５１内に挿入された状態でコンタクト挿入孔５１を区画する内壁に密着されるように、その径が設定される。ただし、大径部７３の周囲には、軸方向に延設される圧入突起７４が周方向に等間隔に形成されており、この圧入突起７４が前記内壁に密着される。ダミー栓７０は、小径部７２及び大径部７３が各々ワイヤシール６０等に密着されることで、防水コネクタ１から容易に抜け出ることがない。
【００２３】
円盤状の係止頭部７５は、栓本体７１の大径部７３よりも径が大きく設定されている。係止頭部７５は、ダミー栓７０が防水コネクタ１に装着される際に係止頭部７５の下面に設けられる係止面７６がアウターハウジング５０に係止されることで必要以上にダミー栓７０が押し込まれるのを規制する。
【００２４】
ダミー栓７０には、すり割（又はスリット）７７が形成されている。すり割７７は、係止頭部７５の頂部から大径部７３の所定位置にかけて、ダミー栓７０の軸方向に沿って形成されている。すり割７７を設けることにより、すり割７７を挟む大径部７３及び係止頭部７５の径方向の左右の部分（第１梁部Ｌ１、第２梁部Ｌ２とする）を、片持ち梁として機能させることができる。つまり、図２（ａ）の矢印Ｆの向きに力が加わると、第１梁部Ｌ１、第２梁部Ｌ２は各々独立して径方向の内側又は中心に向けて撓む。このように、ダミー栓７０は、係止頭部７５から所定の位置にかけて、弾性変位することで径が縮小する部分を備えているところに構成上の特徴を備えている。なお、すり割７７の深さ（係止頭部７５の頂部からの距離）は、第１梁部Ｌ１、第２梁部Ｌ２が最大限に撓んだときにもその撓みがワイヤシール６０とダミー栓７０の密着部分に波及しないことを前提に設定される。
【００２５】
さて、ダミー栓７０は、防水コネクタ１に装着されることで、空き部屋に対応するワイヤシール６０のシール孔６１を封止する。ダミー栓７０は、アウターハウジング５０のコンタクト挿入孔５１より挿入される。防水コネクタ１は、高密度化対応のものであり、アウターハウジング５０のコンタクト挿入孔５１の間隔が狭く設定されている。なお、ワイヤシール６０のシール孔６１の間隔、インナーハウジング１０のコンタクト収容キャビティ１１の間隔も同様である。
【００２６】
そのために、アウターハウジング５０の隣接するコンタクト挿入孔５１にダミー栓７０を挿入すると、当該間隔よりもダミー栓７０の係止頭部７５の径が大きく設定されているので、図１（ａ）、図３、図４に示すように、係止頭部７５同士が干渉する。そのために、隣接する一方（図中、右側）のダミー栓７０ａは所定位置まで挿入できるが、他方（図中、左側）のダミー栓７０ｂはその係止頭部７５ｂがダミー栓７０ａの係止頭部７５ａに乗り上げてしまいそれ以上の挿入が阻止される。
【００２７】
しかしながら、ダミー栓７０にはすり割７７が形成されているので、ダミー栓７０ｂをさらに押し込むことができる。そうすると、図５に示すように、ダミー栓７０ａの係止頭部７５ａとダミー栓７０ｂの係止頭部７５ｂが接して径方向に互いに押し合い、係止頭部７５ａの第１梁部Ｌ１と係止頭部７５ｂの第２梁部Ｌ２は径方向の内方に向けて撓むことで、係止頭部７５ａと係止頭部７５ｂの干渉が回避される。このようにして、防水コネクタ１は、ダミー栓７０ａ、ダミー栓７０ｂの両者を所定の位置まで挿入することができる。
しかも、ダミー栓７０は第１梁部Ｌ１、第２梁部Ｌ２が全体として撓むものの、係止頭部７５自体は弾性変位しない。したがって、係止面７６はアウターハウジング５０と係止される面積が維持されるので、係止面７６の面積を適切に設定することにより、ダミー栓７０が必要以上に押し込まれることもない。
なお、すり割７７は、係止頭部７５ａと係止頭部７５ｂの干渉が回避できるようにその幅が設定されることは言うまでもない。
【００２８】
また、本実施の形態において、すり割７７は、第１梁部Ｌ１、第２梁部Ｌ２が最大限に撓んだときにもその撓みがワイヤシール６０とダミー栓７０の密着部分に波及しないことを前提にその深さが設定されている。したがって、ワイヤシール６０とダミー栓７０の密着部分には、ダミー栓７０に撓みの影響を受けることがないので、ダミー栓７０を防水コネクタ１に装着することにより防水性が損なわれることもない。
すり割７７は、装着される防水コネクタ１の仕様により適宜設定されるものであるが、ダミー栓７０が所定の位置に装着された状態で、少なくとも、すり割７７の底部がワイヤシール６０とダミー栓７０の密着部分に到達しないように、その深さが設定されるべきである。本実施の形態のようにワイヤシール６０がインナーハウジング１０とアウターハウジング５０の間に配置される場合、すり割７７の深さがアウターハウジング５０の範囲内に留まれば、当該密着部分の防水性を損なうことはない。本実施の形態のように、アウターハウジング５０の前後方向の寸法の１／２程度にすり割７７の深さを設定すれば、当該密着部分の防水性に問題は生じない。
【００２９】
ダミー栓７０は、大径部７３の周囲に圧入突起７４を設けている。したがって、第１梁部Ｌ１あるいは第２梁部Ｌ２が撓んだとしても、圧入突起７４がアウターハウジング５０のコンタクト挿入孔５１を区画する壁に押し付けられることで、ダミー栓７０が防水コネクタ１から抜けやすくなることもない。
【００３０】
以上では、係止頭部７５から所定の位置にかけて、弾性変位することでダミー栓７０の径を縮小させるために、平面視するとマイナス（−）型のすり割７７を形成している。しかし、弾性変位することでダミー栓７０の径を縮小させるのに、本発明は他の手段を採用することができる。その一例を図２（ｂ）に示している（図２（ａ）と同じ構成部分には同じ符号を付している）。このダミー栓８０は、平面視するとプラス（＋）型のすり割８７が形成されている。プラス型のすり割８７を設けることにより、ダミー栓８０は第１梁部Ｌ１〜第４梁部Ｌ４と４つの独立した梁部を備えることになる。この場合、第１梁部Ｌ１〜第４梁部Ｌ４は周方向に４つに分割したものとなり、隣接して挿入されるダミー栓８０の１つの梁部同士が干渉したとしても、他の３つの梁部は干渉することがない。したがって、ダミー栓８０は、弾性変位される周方向の範囲を狭くできるので、係止頭部の係止という本来の機能をより安定して得られる。
【００３１】
本発明はすり割７７、８７以外の手段をも採用することができる。例えば、円筒状の空隙（切り込み）を設けてもよいし、さらにその一部にすり割を設けてもよい。要は、係止頭部７５から所定の位置にかけて、弾性変位することでダミー栓７０の径を縮小させることができるものであれば、切り込みの具体的な形態を本発明は問わない。
【００３２】
また、本発明のダミー栓が装着される防水コネクタは以上で説明した形態に限るものでなくワイヤシールを備えた防水コネクタに広く適用することができる。このワイヤシールとしては、上述した実施の形態で示した一括防水型シール（ファミリーシール）のほかに、回路ごとに対応して分割されたワイヤシールを備えた防水コネクタに適用することもできる。
これ以外にも、本発明の主旨を逸脱しない限り、上記実施の形態で挙げた構成を取捨選択したり、他の構成に適宜変更することが可能である。
【符号の説明】
【００３３】
１    防水コネクタ
１０    インナーハウジング
１１    コンタクト収容キャビティ
１２    周囲壁
１３    シール収容凹部
１５    リテーナ収容凹部
１６    ハウジングランス
１７    受容溝
２０    カバー
２１    相手側コンタクト挿入孔
３０    リテーナ
３１    コンタクト挿通孔
４０    シール部材
５０    アウターハウジング
５１    コンタクト挿入孔
６０    ワイヤシール
６１    シール孔
６２，６２    突条
７０，７０ａ，７０ｂ，８０    ダミー栓
７１    栓本体
７２    小径部
７３    大径部
７４    圧入突起
７５，７５ａ，７５ｂ    係止頭部
７６    係止面
７７，８７    すり割
Ｌ１    第１梁部
Ｌ２    第２梁部
Ｌ３    第３梁部
Ｌ４    第４梁部
【図１】
2012190632.tif 000003
【図２】
2012190632.tif 000004
【図３】
2012190632.tif 000005
【図４】
2012190632.tif 000006
【図５】
2012190632.tif 000007
【図６】
2012190632.tif 000008
【図７】
2012190632.tif 000009